(57)【要約】      （修正有）【課題】ドキュメントの内容を識別し、利便性と仕事の効率を高めることができる可動式インデックスユニットを有するドキュメントポケットを提供する。【解決手段】設置面２１を有するドキュメントポケット２０と、第１制限部３１と第２制限部３２と第１制限スペースと第２制限スペースとを有するバックルストリップ３０と、バックルストリップにスライド可能に配設され、少なくとも１つのバックルが第１制限スペースに設けられ且つ第１制限部３１によって被覆されたバックル部４１と少なくとも１つのバックル部と係合して位置決めすることで形成された収容空間４２の第１端部４３と第１端部とは反対側で、且つ少なくとも１つのバックル部と連接し、第２制限スペースに挿入され且つ第２制限部３２によって被覆された第２端部４４と、を有するインデックスユニット４０と、収容空間４２に設置された識別シート５０と、を含む。【選択図】図２
0003223402.tif 000002
【実用新案登録請求の範囲】
【請求項１】
設置面を有するドキュメントポケットと、
前記設置面の一側に設置され、反転可能な第１制限部と、反転可能で且つ前記第１制限部と対面する第２制限部と、前記第１制限部と前記設置面との間に形成された第１制限スペースと、前記第２制限部と前記設置面との間に形成され且つ前記第１制限スペースと連通する第２制限スペースとを有するバックルストリップと、
前記バックルストリップに分離してスライド可能に配設され、少なくとも１つのバックルが前記第１制限スペースに設けられ且つ前記第１制限部によって被覆されたバックル部と、少なくとも１つのバックル部と係合して位置決めすることで形成された収容空間の第１端部と、前記第１端部とは反対側で、且つ少なくとも１つのバックル部と連接し、前記第２制限スペースに挿入され且つ前記第２制限部によって被覆された第２端部とを有するインデックスユニットと、
前記収容空間に設置された識別シートと、を備えた、
可動式インデックスユニットを有するドキュメントポケット。
【請求項２】
前記ドキュメントポケットには、複数の穿孔が穿設されていることを特徴とする請求項１に記載の可動式インデックスユニットを有するドキュメントポケット。
【請求項３】
前記複数の穿孔は、等距離または不等距離に配設されていることを特徴とする請求項２に記載の可動式インデックスユニットを有するドキュメントポケット。
【請求項４】
前記複数の穿孔は、円形、長方形、又は楕円形を呈することを特徴とする請求項２に記載の可動式インデックスユニットを有するドキュメントポケット。
【請求項５】
前記ドキュメントポケットは、電子ビーム熔着、超音波熔着、熱熔着、又はレーザ熔着によって、前記バックルストリップに連接されることを特徴とする請求項１に記載の可動式インデックスユニットを有するドキュメントポケット。
【請求項６】
前記第１端部には、前記識別シートを挿入するための挿設縫いがさらに設けられていることを特徴とする請求項１に記載の可動式インデックスユニットを有するドキュメントポケット。
【考案の詳細な説明】
【技術分野】
【０００１】
本考案はドキュメントポケットに関し、特に可動式インデックスユニットを有するドキュメントポケットに関する。
【背景技術】
【０００２】
図１に参照されたい。日常生活では、ドキュメントポケット１０（又はフォルダ）の使用はごく一般的で、ドキュメントポケット１０は学校やオフィスなどで見ることができる。ほとんどのドキュメントＡはドキュメントポケット１０を使用して保存または保管され、作業効率を改善し、環境の清潔を維持するという目的を達成する。
【０００３】
しかしながら、従来のドキュメントポケット１０の構造は単純であるが、次のような欠点を有するものが多い。特定のファイルを見つけるためには、各ドキュメントポケット１０を一つずつ検索する必要があり、結果として、識別が容易でないという問題がある。また、ユーザが必要なファイルＡを１つずつ検索していくと、ファイルＡが落とされる可能性があり、これは非常に不便であり、時間を浪費し、依然として実用的なニーズを満たしていない。よって画期的な改善を行う余地と必要性が依然としてある。
【考案の概要】
【考案が解決しようとする課題】
【０００４】
そこで、本考案の課題は、主に移動可能なインデックスユニットを増設することにより、ユーザがドキュメントポケットの外観からそのドキュメントポケットに格納されているドキュメントの内容を識別し、利便性と仕事の効率を高めることができる可動式インデックスユニットを有するドキュメントポケットを提供することにある。
【課題を解決するための手段】
【０００５】
上記課題を解決するための本考案の可動式インデックスユニットを有するドキュメントポケットは、設置面を有するドキュメントポケットと、前記設置面の一側に設置され、反転可能な第１制限部と、反転可能で且つ前記第１制限部と対面する第２制限部と、前記第１制限部と前記設置面との間に形成された第１制限スペースと、前記第２制限部と前記設置面との間に形成され且つ前記第１制限スペースと連通する第２制限スペースとを有するバックルストリップと、前記バックルストリップに分離してスライド可能に配設され、少なくとも１つのバックルが前記第１制限スペースに設けられ且つ前記第１制限部によって被覆されたバックル部と、少なくとも１つのバックル部と係合して位置決めすることで形成された収容空間の第１端部と、前記第１端部とは反対側で、且つ少なくとも１つのバックル部と連接し、前記第２制限スペースに挿入され且つ前記第２制限部によって被覆された第２端部とを有するインデックスユニットと、前記収容空間に設置された識別シートとを備えたことを特徴とする。
【０００６】
好ましくは、前記ドキュメントポケットには、複数の穿孔が穿設されている。
【０００７】
より好ましくは、前記複数の穿孔は、等距離または不等距離に配設されている。
【０００８】
より好ましくは、前記複数の穿孔は、円形、長方形、又は楕円形を呈する。
【０００９】
好ましくは、前記ドキュメントポケットは、電子ビーム熔着、超音波熔着、熱熔着、又はレーザ熔着によって、前記バックルストリップに連接される。
【００１０】
好ましくは、前記第１端部には、前記識別シートを挿入するための挿設縫いがさらに設けられている。
【考案の効果】
【００１１】
本考案は、移動可能なインデックスユニットを備えたドキュメントポケットにおいて、スライド可能なインデックスユニットを増設することにより、複数のドキュメントポケットを重ねて配置し、各インデックスユニットを交錯して設置することができるので、各インデックスユニットの重なりを回避することができる。これにより、従来技術と比較して、ユーザによるドキュメントの取り出しと収納を容易にすることができるので、ドキュメントやファイルを探す時間が大幅に短縮され、使い勝手が良くなり、作業効率が向上する。
【図面の簡単な説明】
【００１２】
【図１】公知のドキュメントポケットの概略説明図である。
【図２】本考案の第１実施形態の全体斜視図である。
【図３】本考案の第１実施形態の分解斜視図である。
【図４】本考案の第１実施形態のインデックスユニットの説明図である。
【図５】図４におけるインデックスユニットの係合状態の説明図である。
【図６】本考案の第１実施形態の組合せた状態の説明図（その１）である。
【図７】本考案の第１実施形態の組合せた状態の説明図（その２）である。
【図８】本考案の第１実施形態の使用状態の説明図である。
【図９】本考案の第２実施形態のインデックスユニットの説明図である。
【図１０】図９における実施形態の使用状態の説明図である。
【考案を実施するための形態】
【００１３】
以下、図面を参照しつつ、本考案に係る可動式インデックスユニットを有するドキュメントポケットについて具体的に説明する。
【００１４】
本考案の第１実施形態に係る可動式インデックスユニットを有するドキュメントポケットは、図２乃至図８に示すように、ドキュメントポケット２０と、バックルストリップ３０と、インデックスユニット４０と、識別シート５０とで構成される。
【００１５】
前記ドキュメントポケット２０はプラスチック製で形成されており、設置面２１を有する。本実施形態では、前記ドキュメントポケット２０の一側に複数の穿孔２２が設けられており、前記複数の穿孔２２は不等間隔に配設されている  が、これに限定されるものではなく、等間隔に配設されていてもよい。そのうち、いくつかの前記穿孔２２は円形であり、いくつかの前記穿孔２２は楕円形であるが、これに限定されず、長方形であってもよい。
【００１６】
前記バックルストリップ３０はプラスチック製で形成されており、前記設置面２１の一側に超音波熔着方法によって配置されるが、これに限定されるものではなく、電子ビーム熔着方法、超音波溶着方法、熱溶着方法、又はレーザ熔着方法などであってもよい。
前記バックルストリップ３０は反転可能な第１制限部３１と、前記第１制限部３１に対面して反転可能な第２制限部３２と、前記第１制限部３１と前記設置面２１との間に形成された第１制限スペース３３と、前記第２制限部３２と前記設置面２１との間に形成され且つ前記第１制限スペース３３と連通する第２制限スペース３４とを有する。本実施形態では、前記第１制限部３１と前記第２制限部３２は、溝縫い３５を境界としてそれぞれ前記溝縫い３５の両側に位置しており、且つ前記第１制限部３１の両端と前記第２制限部３２の両端とは互いに接続されている。
【００１７】
前記インデックスユニット４０はプラスチック製で形成されており、前記バックルストリップ３０上にスライド可能に配設することができる。
インデックスユニット４０は、２つのバックルが前記第１制限スペースに設けられ且つ前記第１制限部によって被覆されたバックル部４１と、前記２つのバックル部４１と係合することができて位置決めすることで形成された収容空間４２の第１端部４３と、前記第１端部４３とは反対側で、且つ２つのバックル部４１と連接し、前記第２制限スペース３４に挿入され且つ前記第２制限部３２によって被覆された第２端部４４とを有する。本実施形態では、前記インデックスユニット４０は折り曲げ可能であり、展開時には蝶ネクタイ状に類似し、折り曲げた後は台形状に類似し、各前記バックル部４１は半円状に切り欠かれて形成されている。
【００１８】
前記識別シート５０は、前記収容空間４２に配設された紙シートであり、前記識別シート５０上に文字を記入することにより、ドキュメントの内容や種類を標示することができる。
【００１９】
以上は、本実施形態の主要構成要件の説明である。以下、本考案の使用状況についてさらに説明する。
【００２０】
図２、図６及び図７を参照する。まず、前記インデックスユニット４０を折り曲げ、２つの前記バックル部４１を前記第１端部４３に係合させて位置決めした後、前記第１制限部３１を反転する。前記インデックスユニット４０の２つのバックル部４１が前記第１制限スペース３３に係止されかつ前記第１制限部３１で覆われた後、前記第２制限部３２が裏返されて前記インデックスユニット４０の第２端部４４が前記第２制限スペース３４に挿入され、且つ前記第２制限部３２で覆われる。以上の動作により、前記インデックスユニット４０を前記バックルストリップ３０上に位置決めすることができる。
【００２１】
図８に示すように、前記インデックスユニット４０が前記バックルストリップ３０に装着されると、前記インデックスユニット４０は前記溝縫い３５の範囲内で上下滑動することができ、その位置はユーザに応じて調整されることができる。これにより、従来の重複配置によって引き起こされた、「容易に識別できない」という問題を改善することができる。
例えば、２つのドキュメントポケットを例にとると、２つのドキュメントポケットが重なって配置されている場合、第１のドキュメントポケットのインデックスユニット４０が前記溝縫い３５の最上部位置に滑り合って設置しておき、第２のドキュメントポケットのインデックスユニット４０が前記溝縫い３５の中央位置にスライドさせることができる。これにより、ユーザは、ドキュメントポケットの外観から、その中に格納されているドキュメントの内容をより容易に認識することができる。
【００２２】
そこで、本考案では、移動可能なインデックスユニット４０を増設して複数のドキュメントポケットを重ねて配置し、各インデックスユニット４０を交互に配置してインデックスユニット４０が重ならないようにすることができる。
これにより、ユーザは容易にドキュメントを取って収集することができるので、従来技術と比較して、ドキュメントを見つけるための時間が大幅に短縮され、使用の利便性と作業効率が向上される。
【００２３】
図９と図１０は、本考案の第２実施形態に可動式インデックスユニットを有するドキュメントポケットを示すものであり、第２実施形態は、以下の点で第１実施形態と相違する。
【００２４】
前記インデックスユニット４０の第１端部４３には、前記識別シート５０を挿入するための挿設縫い４３１がさらに設けられている。第１実施形態では、前記識別シート５０は、インデックスユニット４０の上端または下端の開口に挿設されている。これに対して、第２実施形態では、前記挿設縫い４３１から前記識別シート５０を挿入することで、識別シート５０を簡便に取り付けるという目的を達成している。
【００２５】
上記の実施形態と図面は本考案の好ましい実施形態に過ぎず、本考案の範囲はそれらに限定されるものではない。すなわち、本考案の範囲に従ってなされる均等な変更と変形のすべては本考案の範囲内に属するものとする。
【符号の説明】
【００２６】
Ａ  ドキュメント
１０  ドキュメントポケット
２０  ドキュメントポケット
２１  設置面
２２  穿孔
３０  バックルストリップ
３１  第１制限部
３２  第２制限部
３３  第１制限スペース
３４  第２制限スペース
３５  溝縫い
４０  インデックスユニット
４１  バックル部
４２  収容空間
４３  第１端部
４３１  挿設縫い
４４  第２端部
５０  識別シート
【図１】
0003223402.tif 000003
【図２】
0003223402.tif 000004
【図３】
0003223402.tif 000005
【図４】
0003223402.tif 000006
【図５】
0003223402.tif 000007
【図６】
0003223402.tif 000008
【図７】
0003223402.tif 000009
【図８】
0003223402.tif 000010
【図９】
0003223402.tif 000011
【図１０】
0003223402.tif 000012